(57)【要約】      （修正有）【課題】信用以外のものによって、その価値が基礎づけられており、かつ法定通貨との兌換性に依存しない、宝石本位制仮想通貨流通システムを提供する。【解決手段】宝石本位制仮想通貨流通システムは、実際に仮想通貨発行者によって所有されているダイヤモンドと兌換可能に仮想通貨を発行する。システムの管理の下で発行された仮想通貨の総量と兌換可能なダイヤモンドが、仮想通貨発行者の下に常に保管される。【選択図】図１
2020035101.tif 000002
【特許請求の範囲】
【請求項１】
宝石本位とする仮想通貨流通システムであって、
本システムの利用者である利用者識別情報を保持する利用者識別情報保持部と、
本システムで仮想通貨の発行に用いられた宝石を識別する宝石識別情報を保持する宝石識別情報保持部と、
利用者識別情報と、その利用者が所有する仮想通貨の量とを関連付けた情報である仮想通貨所有情報を保持する仮想通貨所有情報保持部と、
宝石識別情報と、その宝石を所定ルールで鑑定した結果である鑑定結果とを関連付けた情報である識別宝石鑑定結果を取得する識別宝石鑑定結果取得部と、
識別宝石鑑定結果を保持する識別宝石鑑定結果保持部と、
鑑定結果に基づいてその鑑定がされた宝石と仮想通貨との交換ルールを定めた鑑定結果交換ルールを保持する鑑定結果交換ルール保持部と、
宝石と交換に仮想通貨を発行する場合に、その宝石の鑑定結果と、保持されている鑑定結果交換ルールとを用いて算出される発行仮想通貨量を、宝石を交換に差し出す利用者の利用者識別情報と、関連付けて後記分散型台帳に記録する発行仮想通貨記録部と、
を有するノードである仮想通貨サーバと、
仮想通貨を取引するためのノードを複数有する仮想通貨の取引を記録するための分散型台帳を備えた分散型台帳システムと、
からなる宝石本位制仮想通貨流通システム。
【請求項２】
利用者識別情報と関連付けて償却すべき仮想通貨量を取得する償却仮想通貨量取得部と、
仮想通貨所有情報の償却すべき仮想通貨量と関連付けられている利用者識別情報に関連付けられている仮想通貨の量から取得した仮想通貨量を消去し、分散型台帳に記録する仮想通貨償却部と、
償却すべき仮想通貨量と、保持されている識別宝石鑑定結果と、保持されている鑑定結果交換ルールと、に基づいて宝石識別情報保持部に保持されている宝石識別情報を取得する宝石識別情報取得部と、
取得した宝石識別情報を宝石識別情報保持部から消去する宝石識別情報消去部と、
をさらに有する請求項１記載の宝石本位制仮想通貨流通システム。
【請求項３】
宝石識別情報取得部は、等価の宝石に該当する複数組の宝石識別情報を選択可能な組として取得する複数組取得手段と、
取得した複数組の中から選択を受付ける選択受付手段とを有し、
宝石識別情報消去部は、選択された組にて定められる宝石識別情報を消去する選択消去手段を有する請求項２に記載の宝石本位制仮想通貨流通システム。
【請求項４】
識別宝石鑑定結果取得部は、鑑定結果として、映像を含む鑑定結果を取得する映像付き鑑定結果取得手段を有する請求項１から請求項３のいずれか一に記載の宝石本位制仮想通貨流通システム。
【請求項５】
識別宝石鑑定結果取得部は、鑑定結果として、鑑定時に発行される紙の鑑定書に記載された識別情報と関係性を有する識別情報である関係識別情報を含む鑑定結果である識別情報付鑑定結果を取得する識別情報付き鑑定結果取得手段を有する請求項１から請求項４のいずれか一に記載の宝石本位制仮想通貨流通システム。
【請求項６】
宝石本位とする仮想通貨流通システムであって、
本システムの利用者である利用者識別情報を保持する利用者識別情報保持部と、
本システムで仮想通貨の発行に用いられた宝石を識別する宝石識別情報を保持する宝石識別情報保持部と、
利用者識別情報と、その利用者が所有する仮想通貨の量とを関連付けた情報である仮想通貨所有情報を保持する仮想通貨所有情報保持部と、
識別宝石鑑定結果を保持する識別宝石鑑定結果保持部と、
鑑定結果に基づいてその鑑定がされた宝石と仮想通貨との交換ルールを定めた鑑定結果交換ルールを保持する鑑定結果交換ルール保持部と、
ノードである仮想通貨サーバと、
仮想通貨を取引するためのノードを複数有する仮想通貨の取引を記録するための分散型台帳を備えた分断型台帳システムと、
からなる宝石本位とする仮想通貨流通システムの動作方法であって、
宝石識別情報と、その宝石を所定ルールで鑑定した結果である鑑定結果とを関連付けた情報である識別宝石鑑定結果を取得する識別宝石鑑定結果取得ステップと、
宝石と交換に仮想通貨を発行する場合に、その宝石の鑑定結果と、保持されている鑑定結果交換ルールとを用いて算出される発行仮想通貨量を、宝石を交換に差し出す利用者の利用者識別情報と、関連付けて後記分散型台帳に記録する発行仮想通貨記録ステップと、
を有するノードである仮想通貨サーバと
からなる宝石本位制仮想通貨流通システムの動作方法。
【請求項７】
宝石本位とする仮想通貨流通システムであって、
本システムの利用者である利用者識別情報を保持する利用者識別情報保持部と、
本システムで仮想通貨の発行に用いられた宝石を識別する宝石識別情報を保持する宝石識別情報保持部と、
利用者識別情報と、その利用者が所有する仮想通貨の量とを関連付けた情報である仮想通貨所有情報を保持する仮想通貨所有情報保持部と、
識別宝石鑑定結果を保持する識別宝石鑑定結果保持部と、
鑑定結果に基づいてその鑑定がされた宝石と仮想通貨との交換ルールを定めた鑑定結果交換ルールを保持する鑑定結果交換ルール保持部と、
ノードである仮想通貨サーバと、
仮想通貨を取引するためのノードを複数有する仮想通貨の取引を記録するための分散型台帳を備えた分断型台帳システムと、
からなる宝石本位とする仮想通貨流通システムの動作プログラムであって、
宝石識別情報と、その宝石を所定ルールで鑑定した結果である鑑定結果とを関連付けた情報である識別宝石鑑定結果を取得する識別宝石鑑定結果取得ステップと、
宝石と交換に仮想通貨を発行する場合に、その宝石の鑑定結果と、保持されている鑑定結果交換ルールとを用いて算出される発行仮想通貨量を、宝石を交換に差し出す利用者の利用者識別情報と、関連付けて後記分散型台帳に記録する発行仮想通貨記録ステップと、
を有するノードである仮想通貨サーバと
からなる宝石本位制仮想通貨流通システムの動作プログラム。
【発明の詳細な説明】
【技術分野】
【０００１】
本発明は、宝石と兌換可能な仮想通貨のための、宝石本位制仮想通貨流通システムに関するものである。
【背景技術】
【０００２】
従来の仮想通貨は、その価値を裏付ける物が存在しておらず、信用投資としての性質が色濃かった。また、多くの仮想通貨は法定通貨との交換が可能となっていることから、法定通貨兌換性にも近く、法定通貨の価値から完全に切り離すことはできておらず、むしろ法定通貨の価値に非常に強く依存していた。
【先行技術文献】
【非特許文献】
【０００３】
【非特許文献１】https://ja.wikipedia.org/wiki/ビットコイン「ビットコイン」（出展：Ｗｉｋｉｐｅｄｏａ）
【発明の概要】
【発明が解決しようとする課題】
【０００４】
しかしながら、仮想通貨が現実世界の物と交換できる対価性を持つようになり、仮想通貨によって行われる取引量が急増していく中で、その価値を裏付ける物が信用だけであれば、なにかをきっかけに仮想通貨の価値が暴落し、過去の取引や取引に関与した企業や個人を中心に、経済的な大混乱が発生する危険性が高い。そして、仮想通貨と兌換可能とされていた法定通貨の価値や法定通貨での取引に混乱が波及する恐れすらあった。
【０００５】
そこで、信用以外のものによって、その価値が基礎づけられており、かつ、法定通貨との兌換性に依存しない仮想通貨による取引の普及が今後の仮想通貨取引には求められている。
【課題を解決するための手段】
【０００６】
そのような問題を解決するために、本発明は、第一の発明として、宝石本位とする仮想通貨流通システムであって、本システムの利用者である利用者識別情報を保持する利用者識別情報保持部と、本システムで仮想通貨の発行に用いられた宝石を識別する宝石識別情報を保持する宝石識別情報保持部と、利用者識別情報と、その利用者が所有する仮想通貨の量とを関連付けた情報である仮想通貨所有情報を保持する仮想通貨所有情報保持部と、宝石識別情報と、その宝石を所定ルールで鑑定した結果である鑑定結果とを関連付けた情報である識別宝石鑑定結果を取得する識別宝石鑑定結果取得部と、識別宝石鑑定結果を保持する識別宝石鑑定結果保持部と、鑑定結果に基づいてその鑑定がされた宝石と仮想通貨との交換ルールを定めた鑑定結果交換ルールを保持する鑑定結果交換ルール保持部と、宝石と交換に仮想通貨を発行する場合に、その宝石の鑑定結果と、保持されている鑑定結果交換ルールとを用いて算出される発行仮想通貨量を、宝石を交換に差し出す利用者の利用者識別情報と、関連付けて後記分散型台帳に記録する発行仮想通貨記録部と、を有するノードである仮想通貨サーバと、仮想通貨を取引するためのノードを複数有する仮想通貨の取引を記録するための分散型台帳を備えた分散型台帳システムと、からなる宝石本位制仮想通貨流通システムを提供する。
【０００７】
次に、第二の発明として、利用者識別情報と関連付けて償却すべき仮想通貨量を取得する償却仮想通貨量取得部と、仮想通貨所有情報の償却すべき仮想通貨量と関連付けられている利用者識別情報に関連付けられている仮想通貨の量から取得した仮想通貨量を消去し、分散型台帳に記録する仮想通貨償却部と、償却すべき仮想通貨量と、保持されている識別宝石鑑定結果と、保持されている鑑定結果交換ルールと、に基づいて宝石識別情報保持部に保持されている宝石識別情報を取得する宝石識別情報取得部と、取得した宝石識別情報を宝石識別情報保持部から消去する宝石識別情報消去部と、をさらに有する第一の発明に記載の宝石本位制仮想通貨流通システムを提供する。
【０００８】
次に第三の発明として、宝石識別情報取得部は、等価の宝石に該当する複数組の宝石識別情報を選択可能な組として取得する複数組取得手段と、取得した複数組の中から選択を受付ける選択受付手段とを有し、宝石識別情報消去部は、選択された組にて定められる宝石識別情報を消去する選択消去手段を有する第二の発明に記載の宝石本位制仮想通貨流通システムを提供する。
【０００９】
次に第四の発明として、識別宝石鑑定結果取得部は、鑑定結果として、映像を含む鑑定結果を取得する映像付き鑑定結果取得手段を有する第一の発明から第三の発明のいずれか一に記載の宝石本位制仮想通貨流通システムを提供する。
【００１０】
次に第五の発明として、識別宝石鑑定結果取得部は、鑑定結果として、鑑定時に発行される紙の鑑定書に記載された識別情報と関係性を有する識別情報である関係識別情報を含む鑑定結果である識別情報付鑑定結果を取得する識別情報付き鑑定結果取得手段を有する第一の発明から第四の発明のいずれか一に記載の宝石本位制仮想通貨流通システムを提供する。
【００１１】
次に、第六の発明として、宝石本位とする仮想通貨流通システムであって、本システムの利用者である利用者識別情報を保持する利用者識別情報保持部と、本システムで仮想通貨の発行に用いられた宝石を識別する宝石識別情報を保持する宝石識別情報保持部と、利用者識別情報と、その利用者が所有する仮想通貨の量とを関連付けた情報である仮想通貨所有情報を保持する仮想通貨所有情報保持部と、識別宝石鑑定結果を保持する識別宝石鑑定結果保持部と、鑑定結果に基づいてその鑑定がされた宝石と仮想通貨との交換ルールを定めた鑑定結果交換ルールを保持する鑑定結果交換ルール保持部と、ノードである仮想通貨サーバと、仮想通貨を取引するためのノードを複数有する仮想通貨の取引を記録するための分散型台帳を備えた分断型台帳システムと、からなる宝石本位とする仮想通貨流通システムの動作方法であって、宝石識別情報と、その宝石を所定ルールで鑑定した結果である鑑定結果とを関連付けた情報である識別宝石鑑定結果を取得する識別宝石鑑定結果取得ステップと、宝石と交換に仮想通貨を発行する場合に、その宝石の鑑定結果と、保持されている鑑定結果交換ルールとを用いて算出される発行仮想通貨量を、宝石を交換に差し出す利用者の利用者識別情報と、関連付けて後記分散型台帳に記録する発行仮想通貨記録ステップと、を有するノードである仮想通貨サーバとからなる宝石本位制仮想通貨流通システムの動作方法を提供する。
【００１２】
次に、第七の発明として、宝石本位とする仮想通貨流通システムであって、本システムの利用者である利用者識別情報を保持する利用者識別情報保持部と、本システムで仮想通貨の発行に用いられた宝石を識別する宝石識別情報を保持する宝石識別情報保持部と、利用者識別情報と、その利用者が所有する仮想通貨の量とを関連付けた情報である仮想通貨所有情報を保持する仮想通貨所有情報保持部と、識別宝石鑑定結果を保持する識別宝石鑑定結果保持部と、鑑定結果に基づいてその鑑定がされた宝石と仮想通貨との交換ルールを定めた鑑定結果交換ルールを保持する鑑定結果交換ルール保持部と、ノードである仮想通貨サーバと、仮想通貨を取引するためのノードを複数有する仮想通貨の取引を記録するための分散型台帳を備えた分断型台帳システムと、からなる宝石本位とする仮想通貨流通システムの動作プログラムであって、宝石識別情報と、その宝石を所定ルールで鑑定した結果である鑑定結果とを関連付けた情報である識別宝石鑑定結果を取得する識別宝石鑑定結果取得ステップと、宝石と交換に仮想通貨を発行する場合に、その宝石の鑑定結果と、保持されている鑑定結果交換ルールとを用いて算出される発行仮想通貨量を、宝石を交換に差し出す利用者の利用者識別情報と、関連付けて後記分散型台帳に記録する発行仮想通貨記録ステップと、を有するノードである仮想通貨サーバとからなる宝石本位制仮想通貨流通システムの動作プログラムを提供する。
【発明の効果】
【００１３】
本発明の宝石本位制仮想通貨流通システムを用いた場合、保管されている宝石量によって発行済の仮想通貨の価値が基礎づけられることになり、仮想通貨の価値を信用や法定通貨から切り離すことが可能となる。
【図面の簡単な説明】
【００１４】
【図１】宝石本位制仮想通貨流通システムの概念図
【図２】実施形態１の、宝石本位制仮想通貨流通システムにおける構成の一例を示す図
【図３】実施形態１の、宝石本位制仮想通貨流通システムにおけるハードウェア構成の一例を示す図
【図４】実施形態１の、宝石本位制仮想通貨流通システムにおける処理の一例を示すフロー図
【図５】実施形態２の、宝石本位制仮想通貨流通システムにおける構成の一例を示す図
【図６】実施形態２の、宝石本位制仮想通貨流通システムにおけるハードウェア構成の一例を示す図
【図７】実施形態２の、宝石本位制仮想通貨流通システムにおける処理の一例を示すフロー図
【図８】実施形態３の、宝石本位制仮想通貨流通システムにおける構成の一例を示す図
【図９】実施形態３の、宝石本位制仮想通貨流通システムにおけるハードウェア構成の一例を示す図
【図１０】実施形態３の、宝石本位制仮想通貨流通システムにおける処理の一例を示すフロー図
【図１１】実施形態４の、宝石本位制仮想通貨流通システムにおける構成の一例を示す図
【図１２】実施形態４の、宝石本位制仮想通貨流通システムにおけるハードウェア構成の一例を示す図
【図１３】実施形態４の、宝石本位制仮想通貨流通システムにおける処理の流れの一例を示すフロー図
【図１４】実施形態５の、宝石本位制仮想通貨流通システムにおける構成の一例を示す図
【図１５】実施形態５の、宝石本位制仮想通貨流通システムにおけるハードウェア構成の一例を示す図
【図１６】実施形態５の、宝石本位制仮想通貨流通システムにおける処理の流れの一例を示す図
【００１５】
以下、本発明の実施形態について、図を用いて説明する。以下の説明は、実施形態１は請求項１に、実施形態２は請求項２に、実施形態３は請求項３に、実施形態４は請求項４に、実施形態５は請求項５に、それぞれ対応する。なお、本発明の内容は、以下の実施例にのみ限定されるものではなく、本発明の要旨を逸脱しない範囲において、種々変更を加え得る。
【００１６】
＜実施形態１＞
＜実施形態１  発明の概要＞
本実施形態における発明は、図１に示すように、実際に仮想通貨発行者によって所有されているダイヤモンドと兌換可能に仮想通貨を発行するシステムである。したがって、本システムの管理の下で発行された仮想通貨の総量と兌換可能なダイヤモンドが、仮想通貨発行者の下には常に保管されていることになる。
【００１７】
＜本システムにおける仮想通貨の定義＞
本システムにおける仮想通貨とは、いわゆる暗号通貨と呼ばれるものも含まれ、インターネット通信上の暗号データ等（台帳の更新、取引の承認など）で定義される概念であり、法定通貨と同様に異なる種類の仮想通貨間での交換や、法定通貨と仮想通貨の交換、仮想通貨を物やサービスと交換することが可能なものを含む。さらに、取引履歴の保持のために、後述するブロックチェーン技術その他の取引の安全性を担保するシステム上で流通する仕組みを採用していることを要する。
【００１８】
前記ブロックチェーンとは、分散型台帳技術、または、分散型ネットワークである。ビットコインの中核技術（サトシ・ナカモトが開発）を原型とするデータベースである。ブロックと呼ばれる順序付けられたレコードの連続的に増加するリストを持つ。各ブロックには、タイムスタンプと前のブロックへのリンクが含まれている。理論上、一度記録すると、ブロック内のデータを遡及的に変更することはできない。ブロックチェーンデータベースは、Peer to Peerネットワークと分散型タイムスタンプサーバーの使用により、自律的に管理される。
【００１９】
ブロックチェーンは以下のような性質を有していてもよい。
管理者を置けるし、取引履歴も非公開の形で運用できる。採掘者（マイナー）や、暗号通貨ないしトークンは設計次第で必ずしも要しない。企業などによって運用されている既存の決済・ポイントサービスなどのシステムを、記録が非公開で運用されるブロックチェーンのシステムに代替することにより運用コストが削減され、決済手数料等が抑えられると期待できる。
【００２０】
ブロックチェーンでは、今回の取引の記録確定前に、重たい計算をブロックチェーン参加者にさせる。この重たい計算をしたという事実を残すことで、データがちゃんとしていることを確認できるようにする。
前回のブロックのブロックチェーンへの記録のために生成されたハッシュ値と、今回の取引データに３２bitの数値（ナンスという。）を適切に添加して、あるハッシュ関数に代入する値を生成する（重たい計算）。添加される３２bitの数値（ナンス）によって、このハッシュ値は予め定められた所定の大きさ以下の値とならなければならない。つまり、重たい計算は、この条件を満たす値（ナンス又は／及び前回のハッシュ値+ナンス）を探し出す計算である。ブロックチェーンの利用者は、この添加される３２bitの数値（ナンス）がどのようなプロセスによって生成されるのかは知りえないように構成されている。ブロックチェーン利用者は、それぞれの計算機を利用して、既知の今回の取引データ、既知の前回生成されたハッシュ値と、今回生成されるであろうハッシュ値に設けられる値の大きさの制限値を利用して、３２bitの数値であるナンスを探り当てる計算をする。これは一般に総当たりで数値を試してゆく計算である。かなり低い確率でその値(ナンス)が割り出される。割り出せたら、その値(ナンス)を他の利用者の計算機に送信し、他の利用者の計算機にて確かにその探り当てられたナンスと、前回のブロックのブロックチェーンへの記録のために生成されたハッシュ値と、今回の取引データとを用いて全員が共通に情報を有するハッシュ関数にてハッシュ処理をすれば、予定されている値以下の値のハッシュ値が計算できることを確認する。この確認がブロックチェーン参加者の多数で行われることによって今回の取引が確定的に承認され、既存のブロックに連鎖してブロックチェーンに参加している多数の利用者の計算機に記録される。そして、多数の承認によってその探り当てられたナンスを用いて計算ブロックチェーン利用者に共有されているハッシュ関数で算出されるハッシュ値が今回の取引のハッシュ値としてブロックチェーン利用者の全員に共有される。次の取引情報が記録されるタイミング（所定の数の取引情報が共有された場合（承認申請状態あるいは取引未確定状態）、所定のタイミングが到来した場合等）が来たらこのハッシュ値を用いて同じ処理が繰り返される。
【００２１】
所謂システムの管理者のような特定の存在による承認を必要とせずに、取引を行う不特定多数の人物間（コンピュータ間）で取引の正当性を承認し合うシステムである。ある時点で行われる取引の正当性を、不特定多数の人物間（コンピュータ間）で承認し合うことにより、正当な取引を決定し、記録することができる。取引の記録は全参加者（全コンピュータ）に記録されているので、一部の記録改ざんがあったとしても、その記録に基づく取引は不正なものであるとしてブロックチェーン全体では認められない。このシステムにより、ある時点である取引が行われたことを証明することが可能であり、正当な取引が行われた取引の順序を証明することが可能である。
【００２２】
本システムでは、いわゆるマイニングと呼ばれるナンス探しによって仮想通貨の付与をしない構成にすることも可能である。というのは、本システムの仮想通貨は宝石本位制であることから、宝石を本システム内に取り込むことがマイニングに該当し、本システム内に取り込まれた宝石の価値に応じた仮想通貨が発行されることになる。したがって、ナンス探しのように宝石の本システム内への持ち込みを伴わない行為に仮想通貨を発行すると、宝石本位制が崩壊することになる。したがって、ナンス探しによって仮想通貨の付与を行わない構成も十分に考えられる。
【００２３】
しかし、そのような構成にした場合には、ナンス探しによってブロックチェーンを連鎖させていこうとする動機が弱くなり、本システムに参加するユーザ間の自主的な行動による本システムによって流通する仮想通貨の取引履歴の保証が十分に機能しなくなる恐れがある。そこで、ナンス探しによってナンスを発見したユーザには仮想通貨の付与が行われるように構成することが仮想通貨の流通を活発化させるためには有用である。ナンス探しに対して仮想通貨を付与する場合には、仮想通貨の発行元、すなわち本システムの管理運用を行う者（団体でもよい）が、付与する仮想通貨と相当する価値を有する宝石を自らシステム内に取り込む構造になる。具体的にはＦＲＢ（連邦準備制度理事会：米国）の金庫のような場所を作り、厳重に保管することが考えられる。このように本発明においては流通している仮想通貨に見合う宝石の確保が担保されなければならない。
【００２４】
しかし、ナンスの演算に基づく仮想通貨の発行を認めるシステムでは、ナンスの演算が世界中で２４時間行われるので常時保管されるべき宝石も増加し続ける必要がある。さもなければ宝石の確保の担保がされないことになり、あるいは宝石が担保されていなことを理由に取引記録が行われない事態に陥るからである。そこで宝石は予め将来のナンスの演算に基づく需要を予測しておき、宝石に仮想通貨として流通する以前の識別情報を付与することが考えられる。流通する以前の識別情報として例えば流通前宝石識別情報のような名称のものである。そして、ナンスの演算に基づく仮想通貨の発行に応じて流通前宝石識別情報を仮想通貨の発行にもちられた宝石の識別情報である宝石識別情報に変換するように構成する。この変換は識別情報の変換なのでコンピュータ内で迅速に行われ、仮想通貨の発行に正確に同期して宝石識別情報を新規に生成することが可能となる。宝石識別情報が付与された宝石は仮想通貨の償却によってのみ金庫などから取り出しが可能であり、宝石識別情報が付与されているのか、流通前宝石識別情報しか付与されていないのかに応じて宝石の実物の取り扱いを決定することが可能となる。これらの宝石識別情報と流通前宝石識別情報とは、後者を前者に変換する宝石識別情報サーバが別途設けられていてもよいし、仮想通貨サーバの中にこの変換機能部を有するように構成してもよい。
【００２５】
＜実施形態１  発明の構成＞
実施形態１の宝石本位制仮想通貨流通システムは、図２に例示するように、利用者識別情報保持部（０２０１）、宝石識別情報保持部（０２０２）、仮想通貨所有情報保持部（０２０３）、識別宝石鑑定結果取得部（０２０４）、識別宝石鑑定結果保持部（０２０５）、鑑定結果交換ルール保持部（０２０６）、発行仮想通貨記録部（０２０７）とからなる仮想通貨サーバ（０２００）と、分散型台帳システム（０２０８）と、からなる。
【００２６】
なお、本システム内では、宝石の価値を鑑定するための鑑定者（団体でもよい）と、本システムに取り込むために持ち込まれた実際の宝石を受け取り相当価値の仮想通貨を引き渡す者（団体でもよい。いわゆる取引所のような存在となる。）と、本システム内に取り込まれた宝石を保管する者（団体でもよい。いわゆる銀行のような存在となる。）の人的要素が不可欠となる。この人的要素は、同一の建物や近接する場所に存在していてもよいし、離れた場所にあってもよいし、複数存在していてもよい。例えば、宝石の保管はＡ国で、取引所と鑑定所は本システムを利用できる全ての国に用意されているという場合が考えられる。あるいは、鑑定所、取引所、は同一の人（団体も含む）が担うような構成でもよい。宝石本位制であることから、仮想通貨が取引所に持ち込まれた時には、システムの管理運営を行う者は仮想通貨と引き換えに宝石を引き渡す必要がある。そこで、取引所と離れた場所に保管場所を用意した場合には、宝石の引き渡しを遅滞なく行うためのシステムも必要となる。例えば、仮想通貨と宝石の交換を予約性にするとか、電子的に仮想通貨の提供を処理した後、宝石は郵送や後日指定の取引所に届くといった構造が考えられる。
【００２７】
また、宝石の鑑定は自動化されてもよい。鑑定装置は、宝石を所定の位置に配置して、自動的にレーザー光などを照射し、所定ルールで定められている処理を実行して結果を出力するように構成できる。レーザー光などを照射する場合、宝石に直接的にレーザー光を照射して屈折や光の放射をレーザーの線単位で認識する、あるいは、レーザー光の反射光強度を見るなどの処理が可能であるし、カットの精緻さや、質量（カラット）を見るには宝石にレーザー光を屈折放射しない屈折防止処理を施して３Ｄ形状測定をすることが考えられる。屈折防止処理としては、表面に炭素微粒粉を塗布するなどが考えられる。さらに質量については秤を利用することが考えられる。また密度を自動的に測定するには３Ｄ測定結果と測定されて質量とを利用する。密度によって宝石の種類を判別することが可能となる。このような装置は全世界統一規格で作られたものであり、装置識別情報をネットワークに宝石鑑定結果と関連付けて出力するように構成される。装置は、偽造されたものであってはならないので暗号化された識別情報を出力するように構成し、常にネットワーク上で通信する相手が真正な鑑定装置であることが保証されるように構成することが望ましい。また鑑定装置は、天然の宝石と人工の宝石とを見分ける機能を有していることが好ましい。例えば、宝石に含まれる不純物を精緻に見出す機能を有していることが好ましい。これは、光の透過度が宝石の３Ｄ構造に基づいて予定されている透過度であるかを判別することで見出すことができる。透過度が予定されている値と異なる値になる部位が存在すると不純物が含まれていると判断され天然の宝石であると結論付けられる。
【００２８】
＜実施形態１  仮想通貨サーバ：構成の説明＞
＜実施形態１  仮想通貨サーバ全体＞
仮想通貨サーバは、分散型台帳システムのノードの一部を構成しており、他のノードが共通に有する機能をこの仮想通貨サーバが有していてもよいし、一部を有さないように構成してもよい。仮想通貨サーバが分散型台帳システムの他のノードが共通に有している機能をすべて備える場合には、ブロックチェーンの記録機能、ナンスの発掘機能、他のノードとの通信機能、ナンスの発掘に基づいて付与される仮想通貨の権限表象機能、他のノードと共通の規則で定められた識別情報の保持機能なども有するように構成される。
【００２９】
＜実施形態１  利用者識別情報保持部＞
「利用者識別情報保持部」は、本システムの利用者である利用者識別情報を保持する。「利用者識別情報」は、利用者を本システム内でユニークに特定する情報である。利用者識別情報は、分散台帳型台帳のノードを識別するノード識別情報である場合も含まれる。ここでノードとは、物理ネットワークノードを指し、ＩＰ電話、ホストコンピュータ、サーバ、ルータ、ワークステーション、ハブ、ブリッジ、スイッチングハブ、などのデータ端末装置を指す。
【００３０】
さらに、分散型台帳のノードを仮想通貨の取引所として、この取引所に登録することによって取引所を代理人として仮想通貨を分散型台帳状で取引する利用者を識別する情報である場合も場合により含まれる。この利用者識別情報は、その利用者の属性情報と関連付けられているのが一般的な構成である。利用者識別情報は、本システムを利用して、ダイヤモンドを仮想通貨に交換することを希望する者が、初めて本システムを利用する時又は／及び、本システムを将来利用するために事前に、本システムが付与することが考えられる。利用者識別情報によって識別される利用者を特定する利用者属性情報としては、氏名、性別、生年月日、年齢、国籍、住所・居住地、電話番号、携帯端末個体識別番号、ＳＩＭカード番号、所有権取得年月日、その人が使う法定通貨の種類、パスポートナンバー、国民識別番号（例えば、日本のマイナンバー、アメリカの社会保障番号、中国の国民識別番号、に見られるような国民全員に与えられた管理番号である。タイプとしては、社会保険制度給付と保険料納付の状況を管理するために番号を付与するタイプ、住民登録に基づいて、全ての国民に番号を付与する身分証明書タイプ、納税管理を目的に、歳入庁など国家当局が利用するタイプ（納税者番号制度・グリーンカード）があり、こういった情報と関連付けられて国民一人一人を識別するために用いられる国民識別番号のことをいう）、静脈情報、虹彩情報、声紋情報、顔写真、などが考えられる。
【００３１】
＜実施形態１  宝石識別情報保持部＞
「宝石識別情報保持部」は、本システムで仮想通貨の発行に用いられた宝石を本システム内でユニークに識別する宝石識別情報を保持する。本システムは、宝石本位制の仮想通貨を流通するシステムであることから、仮想通貨の発行は必ず実在する価値を認められる宝石を裏付けとして行われる。宝石の価値は、いわゆる鑑定所のような鑑定の専門家や専門的な機材を用いて、鑑定される。鑑定の結果をもちいて、宝石の価値が定まり相当する仮想通貨が発行される。したがって、実物の宝石に関する情報としてシステム上あるいはシステムに取り込み可能なネットワーク上にデータとして保存されている宝石関連情報とが、実物の宝石と結び付けられるように構成されている必要があり、宝石識別情報によって、宝石１つ１つを管理することが求められる。したがって、宝石識別情報は、宝石自身に対して刻印したり特殊な光を照射したときにだけ認識可能なインクでプリントする等によって宝石本体にも記録しておくことが望ましい。あるいは宝石自体には宝石識別情報を記録しないが、一般的に宝石はそれに含まれる不純物や傷を用いてユニークに識別されるのでそれらの宝石の特徴と宝石識別情報とを関連付けて記録しておくことで宝石識別情報と１対１で実物の宝石とを対応付けることができる。なお、不純物や傷は光学装置を用いて識別できるレベルであるので、宝石の特徴は、どのような手法（装置や装置スペック、観察手法、観察倍率、観察方向など）を用いて特徴抽出したかや、実際の顕微鏡写真などを用いて記録保存しておくことが好ましい。
【００３２】
「宝石識別情報」は、本システムに取り込まれた宝石を特定するための宝石属性情報（場合により前述の宝石の特徴を示す情報を含むと関連付けられるのが一般である。識別情報によって識別される宝石を特定するための宝石属性情報には、例えば、宝宝石の産地を示す情報、宝石の原石を発掘した鉱山を示す情報、宝石が採掘された時期、宝石をカットした加工師を示す情報（氏名、国籍、年齢等）、宝石の加工を行った店を示す情報、加工が行われた回数（最初のカット後の再加工の回数を含む）を示す情報、宝石を鑑定のために持ち込んだ日時を示す情報、鑑定のために持ち込んだ店を示す情報、鑑定を行う又は／及び鑑定を行った者（団体を含む）を示す情報、宝石の種類を示す情報等を示す情報のいずれか一以上、あるいはそれぞれ（各属性情報）に与えられた識別番号を組み合わせることによって構成されていることが考えられる。宝石識別情報は、宝石が本システムに取り込まれる最初の段階、すなわち、本システムの利用に供する宝石を鑑定することが出来る者（団体を含む）に宝石が持ち込まれた時にシステムによって付与される。
【００３３】
＜実施形態１  仮想通貨所有情報保持部＞
「仮想通貨所有情報保持部」は、利用者識別情報と、その利用者が所有する仮想通貨の量とを関連付けた情報である仮想通貨所有情報を保持する。「仮想通貨所有情報」は、利用者が保有する、本システムで流通する宝石本位制仮想通貨の量を利用者識別情報と関連付ける。宝石本位制仮想通貨の利用者間の移動（取引）に関する記録は、本仮想通貨サーバに記録されるが、原則として分散型台帳システムに参加する全ノード（利用者端末）に同様の記録がされる。また、仮想通貨サーバでは、他のノードでは記録されない情報として、宝石本位制仮想通貨の移動原因に関して記録するように構成することも可能である。例えば、宝石本位制仮想通貨の発行原因となった宝石が仮想通貨の返却によって本システム外にいったん出たのちにその宝石を他の利用者に譲渡することによって複数の本システム利用者間で宝石本位制仮想通貨の移動がある場合などに、その原因として宝石本位制仮想通貨の移動の原因となった宝石識別情報で識別される宝石の所有者を識別する利用者識別情報に関連付けて宝石識別情報を記録することなどが考えられる。なお、仮想通貨所有情報保持部は、分散型台帳で言うところのブロックチェーン記録部と同等の物であってもよいし、これとは別の物であってもよい。仮想通貨サーバが分散型台帳の他のノードが共通に有する機能をすべて有する場合でこの仮想通貨所有情報保持部が前述のブロックチェーン記録部と異なる場合には仮想通貨の所有情報は、二重に記録されることとなる。この場合にはこの仮想通貨所有情報保持部内での記録はブロックチェーンである必要はなく、現在時点での所有情報のみを保持するように構成してもよい。この現時点での所有情報には仮想通貨の所有量がゼロのものが含まれてもよいし、マイナスの所有量であってもよい。また、本システムの分散型台帳で管理される仮想通貨のみならず、他のシステムで管理されている仮想通貨の情報を本システムの利用者識別情報を用いて管理していてもよい。この場合には、他の分散型台帳を構成するシステムのノードを本仮想通貨サーバがかねているとよい。他の分散型台帳システムからのブロックチェーン情報を取得できるからである。
【００３４】
近年、仮想通貨が犯罪組織によって利用される状況が問題視されており、犯罪組織による利用を防ぐために、一定額以上の仮想通貨の所有量と関連付けられている利用者識別情報によって識別される利用者は、本システムに応じて本人確認を定期的に行うといった構造を持たせることが好ましい。あるいは、本システムにたいしてハッカーが攻撃を行ったことが確認された直後からは、本システムの内部で仮想通貨の保有量を変動させる全てのユーザに対して本人確認を必要とするような構成にすることも考えられる。
【００３５】
＜実施形態１  識別宝石鑑定結果取得部＞
「識別情報鑑定結果取得部」は、宝石識別情報と、その宝石を所定ルールで鑑定した結果である鑑定結果とを関連付けた情報である識別宝石鑑定結果を取得する。
【００３６】
「所定ルール」とは、宝石の価値を評価するために一般的に用いられている、あるいは本システムの運用によって定められた、宝石評価のためのルールのことをいう。現在、宝石の取引市場で用いられているルールでもよいし、本システムの運用に合わせて新たに定めたルールであってもよい。すなわち、所定とは何らかの国家的あるいは権威的組織によって定められ取引市場によって一般慣習的に採用されてきた特定の一つのルールを示すものではなく、本システムの運用に当たって、管理者が採用したルールのことを指す。所定ルールは一つに特定されていることが好ましく、所定ルール以外のルールに従って評価された価値は、本システムの鑑定結果として認証することはできない。また、評価結果が、評価を行うタイミングや人物によって異なることがないように、常に同じ評価が可能な機械的なルールであることが好ましい。
【００３７】
所定ルールに定められたルールは、評価の基礎として宝石に関するどの要素を用いても構わないが、最も一般的な評価要素としては、宝石の色、宝石の質量（例えばカラットなど）、宝石の加工、宝石の透明度、が挙げられる。所定ルールには、それぞれの要素の測定方法、評価の仕方、評価の方法、評価段階の分類の仕方を、所定ルールとする場合も含む。また、本発明で採用される所定ルールは、歴史的価値、芸術性を評価に反映させるものではない。したがって、世界最大のダイヤモンドであるカリンナや、世界で最も有名といわれるコ・イ・ヌールであっても、歴史的な価値は、本発明における評価の基礎として反映されない。所定ルールは、仮想通貨サーバないしは、これと通信可能な別途のサーバ（例えば鑑定サーバ）に保持されており、ネットワークを介して鑑定者が所在する場所の鑑定者の端末から閲覧可能なように構成されていることが好ましい。あるいは、鑑定者が所在する場所の鑑定者の鑑定装置と仮想通貨サーバないしは前記別途のサーバが通信可能となっており、鑑定装置の測定結果が送信されて鑑定装置内で鑑定（宝石の格付けなど）がされるように構成してもよい。
【００３８】
所定ルールとしては、例えば、特定のカットを施した宝石のみを本システムによって取引可能な宝石とする、という取引可能な宝石の形状を特定して、特定の形状の宝石についてその色、質量、透明度、カットの精巧度に対して、それぞれの要素を点数評価して、各要素の点数を合算することによって、宝石全体の価値とする方法が考えらえる。この場合、各要素に重み付けを与えたい場合には、各要素に与えられる点数の幅の設定の仕方にそれを反映させることができる。例えば、質量を大きく評価し、その後順に、色、透明度、カットの精巧度、の順に、評価を重みづけることが考えられる。
【００３９】
上記例示であげた特定のカットを施したダイヤモンドとしては、知的財産によって保護及び特定することが可能なカット方法によってカットを施した宝石が考えられる。
【００４０】
＜所定ルール：所定のカットを施したダイヤモンドの具体例１＞
前記所定のカットを施したダイヤモンドの具体例としては、例えば、「ガードルをテーブルファセット中心からキューレット面中心をとおる中心軸に対してクラウンよりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射（つまりダイヤモンド内への再反射）をガードルにて低減させ、ガードルからの出射光をより多くしたガードルファセットを有するラウンドカットダイヤモンド」、が考えられる。
【００４１】
＜所定ルール：所定のカットを施したダイヤモンドの具体例２＞
他には、「ガードルをテーブルファセット中心からキューレット面中心をとおる中心軸に対してクラウンよりも内側に０．１度以上４５度（ただし、パビリオン面が前記中心軸となす角よりも小さい角度に限定）以下傾斜したガードルファセットによって構成し、テーブルファセットから入射しパビリオン側ファセットで反射した光束の全反射をガードルにて増加させたガードルファセットを有するラウンドカットダイヤモンド」、が考えられる。
【００４２】
＜所定ルール：所定のカットを施したダイヤモンドの具体例３＞
他には、「ガードルをテーブルファセット中心からキューレット面中心をとおる中心軸に対してクラウンよりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射（つまりダイヤモンド内への再反射）をガードルにて低減させ、ガードルからの出射光をより多くしたガードルファセットを有するラウンドカットダイヤモンドであって、クラウンのテーブルファセットを除く各ファセットは、テーブルファセット正面視にて前記中心軸に対して非点対称に配置され、パビリオンのキューレットを除く各ファセットは前記中心軸に対して点対称に配置されるラウンドカットダイヤモンド」、が考えられる。
【００４３】
＜所定ルール：所定のカットを施したダイヤモンドの具体例４＞
他には、「ガードルをテーブルファセット中心からキューレット面中心をとおる中心軸に対してクラウンよりも内側に０．１度以上４５度（ただし、パビリオン面が前記中心軸となす角よりも小さい角度に限定）以下傾斜したガードルファセットによって構成し、テーブルファセットから入射しパビリオン側ファセットで反射した光束の全反射をガードルにて増加させたガードルファセットを有するラウンドカットダイヤモンドであって、クラウンのテーブルファセットを除く各ファセットは、テーブルファセット正面視にて前記中心軸に対して非点対称に配置され、パビリオンのキューレットを除く各ファセットは前記中心軸に対して点対称に配置されるラウンドカットダイヤモンド」、が考えられる。
【００４４】
＜所定ルール：所定のカットを施したダイヤモンドの具体例５＞
他には、「ガードルをテーブルファセット中心からキューレット面中心をとおる中心軸に対してクラウンよりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射（つまりダイヤモンド内への再反射）をガードルにて低減させ、ガードルからの出射光をより多くしたガードルファセットを有するラウンドカットダイヤモンドであって、テーブルファセットは、９角形であり、前記ガードルファセットを除くクラウンを構成するファセット数は、テーブルファセットを除いて５４面であり、パビリオンを構成するファセット数は、前記ガードルファセットを除きキューレットを面として数えないで３２面であり、ファセット総数がテーブルファセットと、ガードルファセットを含む８８面であるラウンドカットダイヤモンド」、が考えらえる。
【００４５】
＜所定ルール：所定のカットを施したダイヤモンドの具体例６＞
他には、「ガードルをテーブルファセット中心からキューレット面中心をとおる中心軸に対してクラウンよりも内側に０．１度以上４５度（ただし、パビリオン面が前記中心軸となす角よりも小さい角度に限定）以下傾斜したガードルファセットによって構成し、テーブルファセットから入射しパビリオン側ファセットで反射した光束の全反射をガードルにて増加させたガードルファセットを有するラウンドカットダイヤモンドであって、テーブルファセットは、９角形であり、前記ガードルファセットを除くクラウンを構成するファセット数は、テーブルファセットを除いて５４面であり、パビリオンを構成するファセット数は、前記ガードルファセットを除きキューレットを面として数えないで３２面であり、ファセット総数がテーブルファセットと、ガードルファセットを含む８８面であるラウンドカットダイヤモンド」、が考えらえる。
【００４６】
＜所定ルール：所定のカットを施したダイヤモンドの具体例７＞
他には、「ガードルをテーブルファセット中心からキューレット面中心をとおる中心軸に対してクラウンよりも外側に０．１度以上４５度（ただし、クラウン面が前記中心軸となす角よりも小さい角度に限定）以下傾斜したガードルファセットによって構成し、テーブルファセットから入射しパビリオン側ファセットで反射した光束の全反射（つまりダイヤモンド内への再反射）をガードルにて低減させ、ガードルからの出射光をより多くしたガードルファセットを有するラウンドカットダイヤモンドであって、テーブルファセットは、９角形であり、前記ガードルファセットを除くクラウンを構成するファセット数は、テーブルファセットを除いて３６面であり、パビリオンを構成するファセット数は、前記ガードルファセットを除きキューレットを面として数えて２５面であり、ファセット総数がテーブルファセットと、ガードルファセットを含む６３面であるラウンドカットダイヤモンド」、が考えられる。
【００４７】
＜所定ルール：所定のカットを施したダイヤモンドの具体例８＞
他には、「ガードルをテーブルファセット中心からキューレット面中心をとおる中心軸に対してクラウンよりも内側に０．１度以上４５度（ただし、パビリオン面が前記中心軸となす角よりも小さい角度に限定）以下傾斜したガードルファセットによって構成し、テーブルファセットから入射しパビリオン側ファセットで反射した光束の全反射をガードルにて増加させたガードルファセットを有するラウンドカットダイヤモンドであって、テーブルファセットは、９角形であり、前記ガードルファセットを除くクラウンを構成するファセット数は、テーブルファセットを除いて３６面であり、パビリオンを構成するファセット数は、前記ガードルファセットを除きキューレットを面として数えて２５面であり、ファセット総数がテーブルファセットと、ガードルファセットを含む６３面であるラウンドカットダイヤモンド」、が考えられる。
【００４８】
＜実施形態１  識別宝石鑑定結果保持部＞
「識別宝石鑑定結果保持部」は、識別宝石鑑定結果を保持する。識別宝石鑑定結果は、前述のように宝石識別情報と関連付けられた所定ルールに基づく宝石の鑑定結果を示す情報である識別宝石鑑定結果を保持している。識別宝石鑑定結果は、その後、宝石の価値に応じた仮想通貨を発行する際に利用される。識別宝石鑑定結果は、後述する発行仮想通貨記録部に送信される。さらに、この情報は、仮想通貨の発行及び後述する仮想通貨の償却の際に利用される。
【００４９】
＜実施形態１  鑑定結果交換ルール保持部＞
「鑑定結果交換ルール保持部」は、鑑定結果に基づいてその鑑定がされた宝石と仮想通貨との交換ルールを定めた鑑定結果交換ルールを保持する。本システムにおいては、仮想通貨と宝石は兌換可能な関係にあることから、一定の仮想通貨と兌換可能な宝石の量が定まっている必要がある。宝石の量は、鑑定結果として取得された宝石の価値のことを示す。例えば、宝石がダイヤモンド、仮想通貨がビットコインである場合には、１コインがダイヤモンドの価値１点に相当する、とする鑑定結果交換ルールが考えられる。したがって、１０点のダイヤモンドは１０コインと兌換することが可能であり、１００コインは１００点のダイヤモンドと兌換することが可能である。
【００５０】
また、鑑定結果交換ルールが、宝石が取引されている市場の相場や、ダイヤモンド本位制仮想通貨と交換可能な法定通貨の取引相場等、を反映して改定される場合があってもよい。
【００５１】
＜実施形態１  発行仮想通貨記録部＞
「発行仮想通貨記録部」は、宝石と交換に仮想通貨を発行する場合に、その宝石の鑑定結果と、保持されている鑑定結果交換ルールとを用いて算出される発行仮想通貨量を、宝石を交換に差し出す利用者の利用者識別情報と、関連付けて分散型台帳に記録する。宝石本位制は、仮想通貨の発行のために兌換に供される宝石の価値と、宝石と引き換えに発行される仮想通貨の量が常に交換ルールの下で等価交換となっていることによって維持される。仮に、等価交換のバランスを失して、交換に用いられる宝石の価値以上の仮想通貨が発行される、あるいは、交換に用いられる宝石の価値以下の仮想通貨が発行されると発行された仮想通貨と交換可能な宝石の量が均等とならないため、兌換可能であることによって交換レートに基づいた価値が与えられている仮想通貨の価値又は／及び本システムで利用される宝石の価値が増減する危険がでてくる。価値の増減が起きても、常に発行される仮想通貨と、仮想通貨と交換される宝石の価値は均等を保つように等価交換が行われているようにシステムを運用することが好ましい。仮想通貨と兌換するために用いられた宝石の鑑定結果と関連づけて仮想通貨の発行を行うことで、後から不正な仮想通貨の発行が行われていなかったかを確認することができる。
【００５２】
さらに、本システムの仮想通貨を安全に流通に利用するためには、仮想通貨発行情報と、識別宝石鑑定結果とを関連付けて分散型台帳に記録しておくことが考えらえる。この場合、後述する仮想通貨を償却する際には、分散型台帳から償却した仮想通貨に相当する仮想通貨発行情報に加えて、償却した仮想通貨に相当する識別宝石鑑定結果についても、情報を削除することになる。
【００５３】
＜実施形態１  分散型台帳システム＞
「分散型台帳システム」については、本システムにおける仮想通貨の定義の説明において既に説明済みである。
【００５４】
＜実施形態１  ハードウェア構成＞
図３は、本実施形態における宝石本位制仮想通貨流通システムのハードウェア構成の一例を示す図である。本発明は基本的に汎用コンピュータプログラム、各種デバイスで構成することが可能である。コンピュータの動作は基本的に不揮発性メモリに記録されているプログラムを主メモリにロードして、主メモリとＣＰＵと各種デバイスとで処理を実行してゆく形態をとる。デバイスとの通信はバス線とつながったインターフェイスを介して行われる。インターフェイスには、ディスプレイインターフェイス、キーボード、通信バッファ等が考えられる。この図にあるように、実施形態１の宝石本位制仮想通貨流通システムのハードウェア構成も不揮発性メモリに、本システムの利用者である利用者識別情報を保持するための利用者識別情報保持プログラム（０３０１）、本システムで仮想通貨の発行に用いられた宝石を識別する宝石識別情報を保持するための宝石識別情報保持プログラム（０３０２）、利用者識別情報と、その利用者が所有する仮想通貨の量とを関連付けた情報である仮想通貨所有情報を保持するための仮想通貨所有情報保持プログラム（０３０３）、宝石識別情報と、その宝石を所定ルールで鑑定した結果である鑑定結果とを関連付けた情報である識別宝石鑑定結果を取得する識別宝石鑑定結果取得プログラム（０３０４）、識別宝石鑑定結果を保持するための識別宝石鑑定結果保持プログラム（０３０５）、鑑定結果に基づいてその鑑定がされた宝石と仮想通貨との交換ルールを定めた鑑定結果交換ルールを保持するための鑑定結果交換ルール保持プログラム（０３０６）、宝石と交換に仮想通貨を発行する場合に、その宝石の鑑定結果と、保持されている鑑定結果交換ルールとを用いて算出される発行仮想通貨量を、宝石を交換に差し出す利用者の利用者識別情報と、関連付けて分散型台帳に記録するための発行仮想通貨記録プログラム（０３０７）、とが保持されており、一連のプログラムの実行命令に基づいて、これらのプログラムが主メモリに読み込まれ、動作開始命令に基づいてこれらのプログラムが実行される。なお、保守時以外は継続的にこれらのプログラムは主メモリに常駐し、常に仮想通貨の流通状況の管理を継続することが好ましい。なお、データとしては、プログラム同様に利用者識別情報（０３０８）、宝石識別情報（０３０９）、利用者が所有する仮想通貨量（０３１０）、仮想通貨所有情報（０３１１）、鑑定結果（０３１２）、識別宝石鑑定結果（０３１３）、鑑定結果交換ルール（０３１４）、発行仮想通貨量（０３１５）、図示しない通信などン各種の設定情報などが不揮発性メモリに保持され、主メモリにロードされ、一連のプログラム実行に際して参照され、利用される。なおこのコンピュータは不揮発性メモリ、主メモリ、ＣＰＵ、インターフェイス（例えば、ディスプレイ、キーボード、通信等）がバスラインに接続されて相互に通信可能に構成される。
【００５５】
図３に示すように、宝石本位制仮想通貨流通システムのインターフェイスには、通信インターフェイスがあり、本仮想通貨を流通させるブロックチェーンシステムとは通信インターフェイスを介して接続するように構成することが考えられる。この場合、宝石本位制仮想通貨流通システムの全部又は一部がブロックチェーンシステムを構成する部分として機能するようにしてもよい。例えば、従来の分散台帳システムにおける各ノードでのナンスの発掘作業をブロックチェーンの記録のトリガーとすることに変えて、宝石本位制仮想通貨流通システムがブロックチェーンの記録のトリガーを引くための何らかの命令を分散台帳システムに出力するように構成することも考えられる。あるいは、従来の分散台帳システムにおける各ノードでは、前回の取引の際に算出されたハッシュ値と、今回記録すべき取引情報の値とハッシュ関数で合成されるナンスを発掘するように構成されているが、従来のブロックチェーンでナンスを発見するために用いられる従来の値（取引情報、一つ前のブロックのハッシュ値、発掘されるべきナンスの値の範囲）に代えて又は、これに加えて保持されている宝石識別情報（つまり、この宝石は本システム関係者によって保管されている）、識別宝石鑑定結果（保管されている宝石と紐づけられた鑑定結果）、新規発行仮想通貨量（宝石の保管と引き換えに発行された仮想通貨量）、償却仮想通貨量、消去された宝石識別情報（仮想通貨の償却と引き換えに引き渡された宝石の識別情報）のいずれか一以上を分散台帳に流通させて、この情報を用いた値で合成されるナンスを各ノードに発掘させるように構成することも考えられる。例えば、仮想通貨の取引情報、一つ前のブロックのハッシュ値、宝石識別情報、識別宝石鑑定結果、消去された宝石識別情報、新規発行仮想通貨量、償却仮想通貨量、のいずれか一以上と発掘されるべきナンスの値の範囲を用いてナンスの発掘作業を各ノードにさせることが考えられる。宝石本位制であり、宝石の保管は集中的に行うのが安全である一方、権限が集中することによって不正が発生する可能性を予防するために宝石の存在等に関する情報もブロックチェーン内で管理することが好ましい。
【００５６】
また、宝石本位制仮想通貨流通システムに、宝石の鑑定装置、カメラなどの画像（動画、静止画どちらも含む）記録装置、宝石所有者が所有管理するパーソナルコンピュータや、タブレット端末、スマートフォン、携帯電話、電子ブックリーダ、ゲーム機器、ＡＩスピーカー、スマートウォッチ、等と通信可能に構成することもできる。例えば、マンマシンインターフェイスを有するコンピュータと接続可能に構成する場合にはそのコンピュータを介して宝石本位制仮想通貨流通システム内の制御情報を制御したりすることも可能である。宝石本位制仮想通貨流通システムは、そのようなインターフェイスや、制御情報管理部を有するように構成するとよい、この場合に、これらのコンピュータも本仮想通貨を流通させるためのブロックチェーンの一部を構成するようにしてもよい。なお、各インターフェイスとの接続は、図面では有線で示しているが、無線通信であってもよい。この構成については、後述する実施形態においても同様である。分散型台帳システムには、本システムに参加している複数のノードが、通信インターフェイスを介して説続されている。
【００５７】
＜実施形態１  処理の流れ＞
図４は、実施形態１の処理の流れの一例を示す図である。図に示すように、本システムの利用者である利用者識別情報を保持するために登録させる利用者識別情報登録ステップ（０４０１）、本システムで仮想通貨の発行に用いられた宝石を識別する宝石識別情報を保持するために登録させる宝石識別情報登録ステップ（０４０２）、宝石識別情報と、その宝石を所定ルールで鑑定した結果である鑑定結果とを関連付けた情報である識別宝石鑑定結果を取得する識別宝石鑑定結果取得ステップ（０４０３）、保持されている鑑定結果と保持されている鑑定結果交換ルールとを用いて交換される発行仮想通貨量を算定する鑑定結果交換算定ステップ（０４０４）、物理的な宝石の引き渡しを受けて、保持されている鑑定結果と保持されている鑑定結果交換ルールとを用いて算定された発行仮想通貨量と利用者識別情報とを関連付けた仮想通貨所有情報を生成する仮想通貨所有情報生成ステップ（０４０５）、宝石と交換に仮想通貨を発行する場合に、その宝石の鑑定結果と、保持されている鑑定結果交換ルールとを用いて算出される発行仮想通貨量を、宝石を交換に差し出す利用者の利用者識別情報と、関連付けて分散型記録大小に記録する分散型台帳記録ステップ（０４０６）とからなる。
【００５８】
＜実施形態１  その他の構成１＞
実施形態１のその他の構成として、仮想通貨の兌換対象となる宝石を構成する原石の種類としては本システムにおいて複数種類設定できるように構成しておくことが考えられる。
例えば、ガーネット、アメシスト、アクアマリン、コーラル、ブラッドストーン、ダイヤモンド、クォーツ、エメラルド、ヒスイ、パール、ムーンストーン、アレキサンドライト、ルビー、カーネリアン、ペリドット、サードニックス、サファイア、アイオライト、オパール、トルマリン、ローズクォーツ、トパーズ、シトリン、ゴールデンサファイア、ターコイズ、ブルージルコン、タンザナイト、ラピスラズリなどを挙げることができる。
この場合、複数の宝石の内どの宝石と仮想通貨を兌換するのか、宝石の種別を識別するための情報を取得する宝石種別識別情報取得部を有するように構成しておくことが考えられる。さらに、種別に応じて、鑑定結果を取得できるように、鑑定結果取得部が宝石種別依存鑑定結果取得手段を有するように構成することが考えられる。宝石の種類によって交換ルールが異なることが考えられるので、仮想通貨発行記録部は宝石の種別に応じた鑑定結果交換ルールを選択するための宝石種別依存鑑定結果交換ルール選択手段、及び、宝石種別に応じた鑑定結果と宝石種別に応じた鑑定結果交換ルールとを用い所定の量の仮想通貨を利用有者識別情報（仮想通貨を発行した相手を識別するために利用）と関連付けて分散型記録台帳に記録する宝石種別依存仮想通貨発行記録手段とを有するように構成することが考えられる。
【００５９】
＜実施形態１  その他の構成２＞
前記所定ルールを、知的財産権で保護された宝石の形態を含む宝石の鑑定をするためのルールとする構成が考えられる。知的財産で保護された宝石とは、特許権、意匠権、商標権、著作権、不正競争防止法によって保護される宝石のことを指す。知的財産によって現在すでに保護されている宝石だけでなく、将来的に知的財産権によって保護される宝石、現在出願中の宝石、過去に知的財産権によって保護されていた宝石が含まれる。宝石の形態とは、原石に施す加工の態様のことを指す。鑑定をするためのルールとは、宝石の価値を評価するためのルールであり、本実施形態では鑑定するためのルールについても特許権又は実用新案権を主とする知的財産権によって保護されたものとなる。
【００６０】
＜実施形態２  発明の概要＞
本実施形態における発明は、実施形態１の特徴に加えて、本システム利用者が自身の所有する仮想通貨をシステム管理者等に差し出しその仮想通貨の償却と引き換えに本システム管理者等が保管している仮想通貨に見合った宝石をその利用者に差し出す際のシステムの運用機能、構成についての実施形態である。
【００６１】
＜実施形態２  発明の構成＞
実施形態２の宝石本位制仮想通貨流通システムは、図５に例示するように、利用者識別情報保持部（０５０１）、宝石識別情報保持部（０５０２）、仮想通貨所有情報保持部（０５０３）、識別宝石鑑定結果取得部（０５０４）、識別宝石鑑定結果保持部（０５０５）、鑑定結果交換ルール保持部（０５０６）、発行仮想通貨記録部（０５０７）、償却仮想通貨量取得部（０５０８）、仮想通貨償却部（０５０９）、宝石識別情報取得部（０５１０）、宝石識別情報償却部（０５１１）とからなる仮想通貨サーバと、分散型台帳システムと、からなる。以下では、実施形態１との共通の構成についての説明を省略し、本実施形態に特徴的な構成についてのみ説明をする。
【００６２】
＜実施形態２  構成の説明＞
＜実施形態２  償却仮想通貨量取得部＞
「償却仮想通貨量取得部」は、利用者識別情報と関連付けて償却すべき仮想通貨量を取得する。「償却仮想通貨量」とは、本システムにおいて利用者が本システム管理者から相当する宝石を受領する代わりに差し出して本システム内から償却する仮想通貨の量である。本システムは、宝石本位制仮想通貨流通システムであるから、仮想通貨を宝石と兌換することも可能である。仮想通貨を宝石と兌換した場合には、宝石が本システムの外に出ていくことになり、仮想通貨発行主（本システム管理者等）の保有する宝石量が減少することになる。発行済の仮想通貨の総量は、保有されている宝石の総価値と、交換ルールにおいて等価である（あるいは、保有されている宝石の総価値が必ず仮想通貨の総量を上回っている：仮想通貨発行の準備ための宝石であって未だ仮想通貨発行に利用されていないもの）必要がある。そこで、宝石が本システムの外に出て行った場合には、出て行った宝石と同価値、すなわち宝石と交換するために持ち込まれた仮想通貨を本システム上から償却してしまう必要がある。償却仮想通貨量取得部では、宝石と交換するために持ち込まれた仮想通貨の量を、償却仮想通貨量として取得するところ、取得方法は仮想通貨と宝石を交換する取引所によって外部機器から本システムに直接入力したり外部機器が取得した情報を本システムに無線又は／及び有線によって本システムに出力することによって取得することが考えられる。
【００６３】
＜実施形態２  仮想通貨償却部＞
「仮想通貨償却部」は、仮想通貨所有情報の償却すべき仮想通貨量と関連付けられている利用者識別情報に関連付けられている仮想通貨の量から取得した仮想通貨量を償却し、分散型台帳に記録する。本システムは、前述のように仮想通貨所有情報保持部が、本システムの利用者が保有している仮想通貨の量を示す情報である仮想通貨所有情報を保持している。したがって、利用者が保有する仮想通貨の一部を宝石と交換した場合には、その利用者の仮想通貨の所有量が減少することになり、かつ、前述のように交換された宝石が本システムの外に出ることになるので、交換に用いられた仮想通貨は償却されることになる。償却された仮想通貨は、取引によって移転される場合とは異なり、本システムの中から削除されることになる。したがって、宝石との交換に仮想通貨を用いた利用者の仮想通貨所有情報は、移転を示す別の利用者と連続性のある情報の更新ではなく、交換に用いた通貨量相当の所有情報が削除されることになる。この削除行為が、すなわち本システム上から交換に用いられた仮想通貨相当量の仮想通貨を償却する処理となる。
【００６４】
＜実施形態２  宝石識別情報取得部＞
「宝石識別情報取得部」は、償却すべき仮想通貨量と、保持されている識別宝石鑑定結果と、保持されている鑑定結果交換ルールと、に基づいて宝石識別情報保持部に保持されている宝石識別情報を取得する。本システムは、宝石本位制の仮想通貨流通システムであるから、仮想通貨から宝石に兌換することが可能であり、その場合には、宝石との交換に用いられる仮想通貨と前記鑑定結果交換ルールにおいて等価となる宝石が兌換されなければならない。さらに、仮想通貨と引き換えに交付される宝石は、本システムの外に出ていくことになるので、本システム内に組み込まれた宝石であることを示す宝石識別情報は不要となる。したがって、仮想通貨と交換される宝石を特定して、後述するようにその宝石を特定するための宝石識別情報を削除するために、宝石識別情報取得部が宝石識別情報を宝石識別情報保持部から取得する。識別された宝石は、本システム管理者が管理する宝石保管庫等から取り出され、利用者に引き渡される。
【００６５】
仮想通貨と交換される宝石は、仮想通貨と等価であればよく、過去にその仮想通貨の発行を行うために用いた仮想通貨である必要はない。したがって、宝石識別情報は、識別宝石鑑定結果に基づいて、交換に用いられる仮想通貨と鑑定結果交換ルールにおいて等価となるように任意に選ばれる。後述するように、この任意の選択からは、交換される仮想通貨と等価になれば、複数（種類又は／及び個数について）の宝石を組み合わせてもよい。なお、識別宝石鑑定結果保持部に保持されている識別宝石鑑定結果は、宝石識別情報保持部に保持されている宝石識別情報の削除に同期して削除されるように構成してもよいし、削除されないように構成してもよい。削除されないように構成する場合のメリットは、次回に同じ宝石が仮想通貨の新規発行を目的として本システム管理者に持ち込まれた場合に、前回の鑑定結果を参照することができる点、さらには、宝石を受領した利用者がこの宝石を本システム外で譲渡等しようとする場合に、譲渡候補者にこの鑑定結果を視聴させたり、あるいはこの宝石を譲り受ける人も、その鑑定結果を再利用することができる点などである。一方、削除するように構成する場合のメリットは、この情報が宝石所有者の個人情報なので、個人情報保護の観点から好ましいと考えられる場合があるからである。
【００６６】
＜実施形態２  宝石識別情報消去部＞
「宝石識別情報消去部」は、取得した宝石識別情報を宝石識別情報保持部から消去する。原則として宝石識別情報保持部にて保持されている宝石識別情報で識別される宝石は、本システム管理者が保管している宝石を識別するものであり、当該保管から解放される宝石、すなわち、利用者に対して引き渡される宝石は、もはや保管対象でなくなるためにその宝石識別情報を宝石識別情報保持部から削除しなければならない。
【００６７】
＜実施形態２  ハードウェア構成＞
図６に示すように、実施形態２の宝石本位制仮想通貨流通システムのハードウェア構成も不揮発性メモリに、利用者識別情報保持プログラム（０６０１）、宝石識別情報保持プログラム（０６０２）、仮想通貨所有情報保持プログラム（０６０３）、識別宝石鑑定結果取得プログラム（０６０４）、識別宝石鑑定結果保持プログラム（０６０５）、鑑定結果交換ルール保持プログラム（０６０６）、発行仮想通貨記録プログラム（０６０７）、利用者識別情報と関連付けて償却すべき仮想通貨量を取得するための償却仮想通貨量取得プログラム（０６０８）、仮想通貨所有情報の償却すべき仮想通貨量と関連付けられている利用者識別情報に関連付けられている仮想通貨の量から取得した仮想通貨量を消去し、分散型台帳に記録するための仮想通貨償却プログラム（０６０９）、償却すべき仮想通貨量と、保持されている識別宝石鑑定結果と、保持されている鑑定結果交換ルールと、に基づいて宝石識別情報保持部に保持されている宝石識別情報を取得するための宝石識別情報取得プログラム（０６１０）、取得した宝石識別情報を宝石識別情報保持部から消去するための宝石識別情報消去プログラム（０６１１）、とが保持されており、一連のプログラムの実行命令に基づいて、これらのプログラムが主メモリに読み込まれ、動作開始命令に基づいてこれらのプログラムが実行される。なお、保守時以外は継続的にこれらのプログラムは主メモリに常駐し、常に仮想通貨の流通状況の管理を継続することが好ましい。なお、データとしては、プログラム同様に利用者識別情報（０６１２）、宝石識別情報（０６１３）、利用者が所有する仮想通貨量（０６１４）、仮想通貨所有情報（０６１５）、鑑定結果（０６１６）、識別宝石鑑定結果（０６１７）、鑑定結果交換ルール（０６１８）、発行仮想通貨量（０６１９）、償却すべき仮想通貨量（０６２０）、図示しない通信などン各種の設定情報などが不揮発性メモリに保持され、主メモリにロードされ、一連のプログラム実行に際して参照され、利用される。なおこのコンピュータは不揮発性メモリ、主メモリ、ＣＰＵ、インターフェイスがバスラインに接続されて相互に通信可能に構成される。
【００６８】
＜実施形態２  処理の流れ＞
図７は、実施形態２の処理の流れの一例を示す図である。図に示すように、利用者識別情報登録ステップ（０７０１）、宝石識別情報登録ステップ（０７０２）、識別宝石鑑定結果取得ステップ（０７０３）、鑑定結果交換算定ステップ（０７０４）、仮想通貨所有情報生成ステップ（０７０５）、分散型台帳記録ステップ（０７０６）、利用者識別情報と関連付けて償却すべき仮想通貨量を取得する償却仮想通貨量取得ステップ（０７０７）、仮想通貨所有情報の償却すべき仮想通貨量と関連付けられている利用者識別情報に関連付けられている仮想通貨の量から取得した仮想通貨量を消去し、分散型台帳に記録する仮想通貨償却ステップ（０７０８）、償却すべき仮想通貨量と、保持されている識別宝石鑑定結果と、保持されている鑑定結果交換ルールと、に基づいて宝石識別情報保持部に保持されている宝石識別情報を取得する宝石識別情報取得ステップ（０７０９）、取得した宝石識別情報を宝石識別情報保持部から消去する宝石識別情報消去ステップ（０７１０）、とからなる。
【００６９】
＜実施形態３  発明の概要＞
本実施系形態の発明は、実施形態２の特徴に加えて、仮想通貨と交換されるダイヤモンドの組み合わせを複数選択することが出来るように構成されている。
【００７０】
＜実施形態３  発明の構成＞
実施形態３の宝石本位制仮想通貨流通システムは、図８に例示するように、利用者識別情報保持部（０８０１）、宝石識別情報保持部（０８０２）、仮想通貨所有情報保持部（０８０３）、識別宝石鑑定結果取得部（０８０４）、識別宝石鑑定結果保持部（０８０５）、鑑定結果交換ルール保持部（０８０６）、発行仮想通貨記録部（０８０７）、償却仮想通貨量取得部（０８０８）、仮想通貨償却部（０８０９）、宝石識別情報取得部（０８１０）、複数組取得手段（０８１１）、選択受付手段（０８１２）、宝石識別情報償却部（０８１３）、選択消去手段（０８１４）、とからなる仮想通貨サーバと、分散型台帳システムと、からなる。以下では、実施形態２との共通の構成についての説明を省略し、本実施形態に特徴的な構成についてのみ説明をする。
【００７１】
＜実施形態３  構成の説明＞
＜実施形態３  複数組取得手段＞
「複数組取得手段」は、等価の宝石に該当する複数組の宝石識別情報を選択可能な組として取得する、宝石識別情報保持部が有する手段である。仮想通貨と交換される宝石は、交換に用いられる仮想通貨と鑑定結果交換ルールにおいて等価である必要があるが、仮想通貨と鑑定結果交換ルールにおいて等価となる宝石は、１つの宝石によって構成する必要はなく、複数の宝石を組み合わせることによって構成することも可能である。複数の宝石は、宝石の数だけでなく宝石の種類であってもよい。
【００７２】
例えば、ダイヤモンド本位制の仮想通貨であった場合に、ダイヤモンドの総合的な評価１点が１コインという相場である場合、１コインを交換に用いた利用者に対して、１点のダイヤモンド１つを引き渡す方法と、１点以下のダイヤモンドを複数組み合わせて引き渡す方法が考えられる。１点以下のダイヤモンドを複数組み合わせて引き渡す場合の組み合わせかたは、２個のダイヤモンドの組み合わせでも３個のダイヤモンドの組み合わせでも、ｎ個のダイヤモンドの組み合わせであってもよい。
【００７３】
組み合わせは、本システムが保持している識別宝石鑑定結果に基づいて自動的に算出することが考えられる。例えば、保持している識別鑑定結果に基づいて、在庫量が多くなっている領域の鑑定結果の宝石を優先的に組み合わせに利用するように計算する機能を持たせる構成も考えられる。
【００７４】
あるいは、ユーザが欲しいと思っている宝石の組み合わせを自ら指定して、その組み合わせの宝石を含めた複数組み合わせを取得するように構成することが考えられる。というのも、利用者は宝石を利用する目的をもって、あたかも宝石の買付行為として仮想通貨と宝石の交換を行う場合が想定でき、この場合、利用者は目的に合致した宝石を求めているからである。しかし、必ず利用者がのぞむ宝石が用意できるとは限らないので、用意することが可能なその他の組み合わせについても選択肢として提供できるように構成しておくことが好ましい。
【００７５】
＜実施形態３  選択受付手段＞
「選択受付手段」は、取得した複数組の中から選択を受け付ける、宝石識別情報取得部が有する手段である。選択は、宝石を引き渡す側が行ってもよいし、利用者が行ってもよい。選択を行う際には、組み合わせを単に文字や記号で示されるだけでなく、イラストを用いて、モニタインターフェイスに表示されることが好ましい。モニタインターフェイスは、ユーザの所持するスマートフォンなどの通信可能機器でもよく、本システムからユーザの通信機器に無線、又は／及び有線（接触型通信も含む）の通信によって情報を出力する構成であってもよい。
【００７６】
さらに、組み合わせの表示は、保有している宝石の映像によって提供されることがさらに好ましい。同じ価値を持つ宝石であっても、宝石ごとにカット、色、透明度、大きさは異なるため、引換を望も宝石を選択するためには、個々の宝石を確認できるようにしておくことが好ましいからである。
【００７７】
＜実施形態３  選択消去手段＞
「選択消去手段」は、選択された組に定められる宝石識別情報を消去する、宝石識別情報消去部が有する手段である。
【００７８】
＜実施形態３  ハードウェア構成＞
図９に示すように、実施形態３の宝石本位制仮想通貨流通システムのハードウェア構成も不揮発性メモリに、利用者識別情報保持プログラム（０９０１）、宝石識別情報保持プログラム（０９０２）、仮想通貨所有情報保持プログラム（０９０３）、識別宝石鑑定結果取得プログラム（０９０４）、識別宝石鑑定結果保持プログラム（０９０５）、鑑定結果交換ルール保持プログラム（０９０６）、発行仮想通貨記録プログラム（０９０７）、償却仮想通貨量取得プログラム（０９０８）、仮想通貨償却プログラム（０９０９）、宝石識別情報取得プログラム（０９１０）、等価の宝石に該当する複数組の宝石識別情報を選択可能な組として取得する複数組取得プログラム（０９１１）、取得した複数組の中から選択を受け付ける選択受付プログラム（０９１２）、宝石識別情報消去プログラム（０９１３）、選択された組にて定められる宝石識別情報を消去する選択消去プログラム（０９１４）、とが保持されており、一連のプログラムの実行命令に基づいて、これらのプログラムが主メモリに読み込まれ、動作開始命令に基づいてこれらのプログラムが実行される。なお、保守時以外は継続的にこれらのプログラムは主メモリに常駐し、常に仮想通貨の流通状況の管理を継続することが好ましい。なお、データとしては、プログラム同様に利用者識別情報（０９１５）、宝石識別情報（０９１６）、利用者が所有する仮想通貨量（０９１７）、仮想通貨所有情報（０９１８）、鑑定結果（０９１９）、識別宝石鑑定結果（０９２０）、鑑定結果交換ルール（０９２１）、発行仮想通貨量（０９２２）、選択された宝石識別情報（０９２３）償却すべき仮想通貨量（０９２４）、図示しない通信などン各種の設定情報などが不揮発性メモリに保持され、主メモリにロードされ、一連のプログラム実行に際して参照され、利用される。なおこのコンピュータは不揮発性メモリ、主メモリ、ＣＰＵ、インターフェイスがバスラインに接続されて相互に通信可能に構成される。
【００７９】
＜実施形態３  処理の流れ＞
図１０は、実施形態３の処理の流れの一例を示す図である。図に示すように、利用者識別情報登録ステップ（１００１）、宝石識別情報登録ステップ（１００２）、識別宝石鑑定結果取得ステップ（１００３）、鑑定結果交換算定ステップ（１００４）、仮想通貨所有情報生成ステップ（１００５）、分散型台帳記録ステップ（１００６）、償却仮想通貨量取得ステップ（１００７）、仮想通貨償却ステップ（１００８）、宝石識別情報取得ステップ（１００９）、等価の宝石に該当する複数組の宝石識別情報を選択可能な組として取得する複数組取得サブステップ（１０１０）、取得した複数組の中から選択を受付ける選択受付サブステップ（１０１１）、宝石識別情報消去ステップ（１０１２）、選択された組にて定められる宝石識別情報を消去する選択消去サブステップ（１０１３）とからなる。
【００８０】
＜実施形態４  発明の概要＞
本実施形態における発明は、実施形態１から実施形態３までに記載の特徴に加えて、宝石鑑定結果取得部は、鑑定結果として、映像を含む鑑定結果を取得する映像付き鑑定結果取得手段を有する発明である。
【００８１】
＜実施形態４  発明の構成＞
実施形態４の宝石本位制仮想通貨流通システムは、図１１に例示するように、利用者識別情報保持部（１１０１）、宝石識別情報保持部（１１０２）、仮想通貨所有情報保持部（１１０３）、識別宝石鑑定結果取得部（１１０４）、映像付き鑑定結果取得手段（１１０５）、識別宝石鑑定結果保持部（１１０６）、鑑定結果交換ルール保持部（１１０７）、発行仮想通貨記録部（１１０８）とからなる仮想通貨サーバと、分散型台帳システムと、からなる。以下では、実施形態１から実施形態３のいずれか一との共通の構成についての説明は省略し、本実施形態に特徴的な構成についてのみ説明をする。
【００８２】
＜実施形態４  構成の説明＞
＜実施形態４  映像付き鑑定結果取得手段＞
「映像付き鑑定結果取得手段」は、鑑定結果として、映像を含む鑑定結果を取得する、識別宝石鑑定結果取得部が有する手段である。宝石はある場所で鑑定されたのち、その場ですぐに仮想通貨に交換されることが必要とされているわけではなく、ある場所で鑑定されたのち、時間的にも場所的にも離れてから仮想通貨に交換することが可能である。この場合、ある宝石の鑑定結果として獲得された鑑定結果が、真実その宝石の鑑定結果であることを確認できる手段が必要となる。本実施形態では、その手段の一つとして、映像付き鑑定結果を取得して、実際の宝石の画像と鑑定結果に記録された宝石の映像を比較することで、傷の位置やカットのライン、宝石の原石内に内包された不純物等の位置、等が一致するかを検証することによって、ある宝石の鑑定結果として獲得された鑑定結果が、真実その宝石の鑑定結果であることを確認することが可能となる。
【００８３】
その他にも、映像付き鑑定結果として取得された映像を、実施形態３の複数組取得手段において、取得される複数組の表示に添付して利用することも可能である。あるいは、保有している宝石の電子的陳列として、画像を利用者あるいはこれから利用を検討している利用者以外の者に閲覧可能にしておくことが考えられる。本システムで利用する仮想通貨を取得すれば、陳列されているような宝石と交換することができることになり、新たに本システムに参加する、あるいは現在保有している宝石を仮想通貨に交換する、積極的な取引参加への動機づけとなる。
【００８４】
＜実施形態４  ハードウェア構成＞
図１２にあるように、実施形態４の宝石本位制仮想通貨流通システムのハードウェア構成も不揮発性メモリに、利用者識別情報保持プログラム（１２０１）、宝石識別情報保持プログラム（１２０２）、仮想通貨所有情報保持プログラム（１２０３）識別宝石鑑定結果取得プログラム（１２０４）、鑑定結果として、映像を含む鑑定結果を取得する映像付き鑑定結果取得プログラム（１２０５）、識別宝石鑑定結果保持プログラム（１２０６）、鑑定結果交換ルール保持プログラム（１２０７）、発行仮想通貨記録プログラム（１２０８）、とが保持されており、一連のプログラムの実行命令に基づいて、これらのプログラムが主メモリに読み込まれ、動作開始命令に基づいてこれらのプログラムが実行される。なお、保守時以外は継続的にこれらのプログラムは主メモリに常駐し、常に仮想通貨の流通状況の管理を継続することが好ましい。なお、データとしては、プログラム同様に利用者識別情報（１２０９）、宝石識別情報（１２１０）、利用者が所有する仮想通貨量（１２１１）、仮想通貨所有情報（１２１２）、鑑定結果（１２１３）、識別宝石鑑定結果（１２１４）、映像付き鑑定結果（１２１５）、鑑定結果交換ルール（１２１６）、発行仮想通貨量（１２１７）、図示しない通信などン各種の設定情報などが不揮発性メモリに保持され、主メモリにロードされ、一連のプログラム実行に際して参照され、利用される。なおこのコンピュータは不揮発性メモリ、主メモリ、ＣＰＵ、インターフェイスがバスラインに接続されて相互に通信可能に構成される。
【００８５】
＜実施形態４  処理の流れ＞
図１３は、実施形態４の処理の流れの一例を示す図である。図に示すように、利用者識別情報登録ステップ（１３０１）、宝石識別情報登録ステップ（１３０２）、識別宝石鑑定結果取得ステップ（１３０３）、鑑定結果として、映像を含む鑑定結果を取得する映像付き鑑定結果取得サブステップ（１３０４）、鑑定結果交換算定ステップ（１３０５）、仮想通貨所有情報生成ステップ（１３０６）、分散型台帳記録ステップ（１３０７）とからなる。
【００８６】
＜実施形態５  発明の概要＞
本実施形態における発明は、実施形態１から実施形態４の特徴に加えて、宝石鑑定結果の識別番号を取得することを特徴とする。
【００８７】
＜実施形態５  発明の構成＞
実施形態５の宝石本位制仮想通貨流通システムは、図１４に例示するように、利用者識別情報保持部（１４０１）、宝石識別情報保持部（１４０２）、仮想通貨所有情報保持部（１４０３）、識別宝石鑑定結果取得部（１４０４）、識別情報付き鑑定結果取得手段（１４０５）、識別宝石鑑定結果保持部（１４０６）、鑑定結果交換ルール保持部（１４０７）、発行仮想通貨記録部（１４０８）とからなる仮想通貨サーバと、分散型台帳システムと、からなる。以下では、実施形態１から実施形態４のいずれか一との共通の構成についての説明は省略し、本実施形態に特徴的な構成についてのみ説明をする。
【００８８】
＜実施形態５  構成の説明＞
＜実施形態５  識別情報付き鑑定結果取得手段＞
「識別情報付き鑑定結果取得手段」は、鑑定結果として、鑑定時に発行される紙の鑑定書に記載された識別情報と関係性を有する識別情報である関係識別情報を含む鑑定結果である識別情報付き鑑定結果を取得する、識別宝石鑑定結果取得部が有する手段である。先述のように、宝石はある場所で鑑定されたのち、その場ですぐに仮想通貨に交換されることが必要とされているわけではなく、ある場所で鑑定されたのち、時間的にも場所的にも離れてから仮想通貨に交換することが可能である。この場合、ある宝石の鑑定結果として獲得された鑑定結果が、真実その宝石の鑑定結果であることを確認できる手段が必要となる。本実施形態では、その手段の一つとして、識別情報付き鑑定結果を取得して、宝石鑑定時に宝石の所有者に渡される鑑定書と、宝石と引き換えに仮想通貨の発行を行う者（団体も含む）が鑑定した者（団体も含む）から受け取った鑑定書の一致を鑑定書に与えられた識別情報から判断することで、ある宝石の鑑定結果として獲得された鑑定結果が、真実その宝石の鑑定結果であることを確認することが可能となる。
【００８９】
宝石の所有者に与えられる鑑定書にふされた識別情報は、暗号化されたものであることが好ましい。例えば、Ａを１、Ｂを２、Ｃを３、Ｄを４、に対応すると暗号キーを定め、宝石所有者の鑑定書には「ＣＢＤＤＡ」と識別情報を与えた場合に、宝石と引き換えに仮想通貨の発行を行う者の手元に届く識別情報は「３２４４１」となり、暗号キーを介して両者が一致するものであることが確認される。
【００９０】
暗号キーは、定期的に変更されるように構成しておき、宝石と引き換えに仮想通貨の発行を行う者の方で、宝石所有者が持ち込んだ鑑定書の日付からその日付時に利用されていた暗号キーを特定して、識別情報の解読を行うようにしてもよい。あるいは、暗号キーは鑑定書ごとに定めてもよい。さらに、暗号キーを鑑定書ごとに定めた場合には、暗号キーの有効期限を設定することで、鑑定から少なくとも何日以内には仮想通貨と交換しなければならない、という期限を設けることが可能となる。
【００９１】
＜実施形態５  ハードウェア構成＞
図１５にあるように、実施形態５の宝石本位制仮想通貨流通システムのハードウェア構成も不揮発性メモリに、利用者識別情報保持プログラム（１５０１）、宝石識別情報保持プログラム（１５０２）、仮想通貨所有情報保持プログラム（１５０３）識別宝石鑑定結果取得プログラム（１５０４）、鑑定結果として、鑑定時に発行される紙の鑑定書に記載された識別情報と関係性を有する識別情報である関係識別情報を含む鑑定結果である識別情報付き鑑定結果を取得するための識別情報付き鑑定結果取得プログラム（１５０５）、識別宝石鑑定結果保持プログラム（１５０６）、鑑定結果交換ルール保持プログラム（１５０７）、発行仮想通貨記録プログラム（１５０８）、とが保持されており、一連のプログラムの実行命令に基づいて、これらのプログラムが主メモリに読み込まれ、動作開始命令に基づいてこれらのプログラムが実行される。なお、保守時以外は継続的にこれらのプログラムは主メモリに常駐し、常に仮想通貨の流通状況の管理を継続することが好ましい。なお、データとしては、プログラム同様に利用者識別情報（１５０９）、宝石識別情報（１５１０）、利用者が所有する仮想通貨量（１５１１）、仮想通貨所有情報（１５１２）、鑑定結果（１５１３）、識別宝石鑑定結果（１５１４）、識別情報付き鑑定結果（１５１５）、鑑定結果交換ルール（１５１６）、発行仮想通貨量（１５１７）、図示しない通信などン各種の設定情報などが不揮発性メモリに保持され、主メモリにロードされ、一連のプログラム実行に際して参照され、利用される。なおこのコンピュータは不揮発性メモリ、主メモリ、ＣＰＵ、インターフェイスがバスラインに接続されて相互に通信可能に構成される。
【００９２】
＜実施形態５  処理の流れ＞
図１６は、実施形態５の処理の流れの一例を示す図である。図に示すように、利用者識別情報登録ステップ（１６０１）、宝石識別情報登録ステップ（１６０２）、識別宝石鑑定結果取得ステップ（１６０３）、鑑定結果として、鑑定時に発行される紙の鑑定書に記載された識別情報と関係性を有する識別情報である関係識別情報を含む鑑定結果である識別情報付鑑定結果を取得する識別情報付き鑑定結果取得サブステップ（１６０４）、仮想通貨所有情報生成ステップ（１６０５）、仮想通貨の発行を受けるために鑑定書と共に宝石を差し出す鑑定書を用いて宝石を差し出すサブステップ（１６０６）、鑑定結果交換算定ステップ（１６０７）、分散型台帳記録ステップ（１６０８）とからなる。
【００９３】
＜実施形態６  発明の概要＞
本実施形態は、宝石本位制仮想通貨流通システムの動作方法である。
【００９４】
＜実施形態６  発明の構成＞
実施形態６における本システムの動作方法は、識別宝石鑑定結果取得ステップと、発行仮想通貨記録ステップと、からなる。「識別宝石鑑定結果取得ステップ」は、宝石識別情報と、その宝石を所定ルールで鑑定した結果である鑑定結果とを関連付けた情報である識別宝石鑑定結果を取得する。宝石識別情報は、宝石識別情報保持部から取得され、鑑定結果は鑑定所また鑑定サーバから取得される。「発行仮想通貨記録ステップ」は、宝石と交換に仮想通貨を発行する場合に、その宝石の鑑定結果と、保持されている鑑定結果交換ルールとを用いて算出される発行仮想通貨量を、宝石を交換に差し出す利用者の利用者識別情報と、関連付けて後記分散型台帳に記録する。宝石の鑑定結果は、識別宝石鑑定結果保持部から取得され、鑑定結果交換ルールは鑑定結果交換ルール保持部から取得される。算出された発行仮想通貨量は、通信インターフェイスを介して、分散型記録台帳システムに含まれる分散型記録台帳領域に記録される。
【００９５】
本実施形態における、本システムの動作方法の一例として、図４に示す構成が考えられる。上記識別宝石鑑定結果取得ステップと発行仮想通貨記録ステップに加えて、利用者識別情報登録ステップ、宝石識別情報登録ステップ、鑑定結果交換算定ステップ、仮想通貨所有情報生成ステップ、を有するように構成することが考えられる。
【００９６】
＜実施形態７  発明の概要＞
本実施形態は、宝石本位制仮想通貨流通システムの動作プログラムである。
【００９７】
＜実施形態７  発明の構成＞
実施形態７における本システムの動作方法は、前述の実施形態６と同様に、識別宝石鑑定結果取得ステップと、発行仮想通貨記録ステップと、からなる。各ステップの説明は、実施形態６において既に述べているので、省略する。
【００９８】
本実施系形態における、本システムの動作プログラムの一例として、図４に示す構成が考えられる。上記識別宝石鑑定結果取得ステップと発行仮想通貨記録ステップに加えて、利用者識別情報登録ステップ、宝石識別情報登録ステップ、鑑定結果交換算定ステップ、仮想通貨所有情報生成ステップ、を有するように構成することが考えられる。
【図１】
2020035101.tif 000003
【図２】
2020035101.tif 000004
【図３】
2020035101.tif 000005
【図４】
2020035101.tif 000006
【図５】
2020035101.tif 000007
【図６】
2020035101.tif 000008
【図７】
2020035101.tif 000009
【図８】
2020035101.tif 000010
【図９】
2020035101.tif 000011
【図１０】
2020035101.tif 000012
【図１１】
2020035101.tif 000013
【図１２】
2020035101.tif 000014
【図１３】
2020035101.tif 000015
【図１４】
2020035101.tif 000016
【図１５】
2020035101.tif 000017
【図１６】
2020035101.tif 000018